(57)【要約】      （修正有）【課題】投稿時刻を音声出力時刻と対応させる書き込みデータ送信装置、音声出力機器及書き込みデータ共有システムを提供する。【解決手段】エージェントサーバ１は、通信部１１、制御部１２及び記憶部１３を備える。通信部１１は、外部サーバ２ａ、家族伝言板サーバ２ｂ及びホームサーバ２ｃとの通信を行う。通信部１１は、出力情報決定部（音声データ出力可否判定部）１２１によって制御されて、外部サーバ２ａから天気予報データを受信し、出力情報決定部１２１に出力する。また、音声送信制御部１２２によって制御されて、音声データをホームサーバ２ｃに、投稿制御部１２３によって制御されて、投稿データを家族伝言板サーバ２ｂに送信する。制御部１２は、エージェントサーバ１の機能を統括して制御し、出力情報決定部、音声送信制御部及び投稿制御部を含む。記憶部１３は、エージェントサーバ１が使用する各種データを記憶する。【選択図】図１
2016099842.tif 000002
【特許請求の範囲】
【請求項１】
複数のユーザで書き込みを共有可能なサービスを提供する情報処理装置に書き込みデータを送信する書き込みデータ送信装置であって、
上記書き込みデータと対応している音声データに従って音声出力機器が音声出力可能な出力可能期間に応じて、上記書き込みデータが上記サービスに投稿される時刻である投稿時刻を決定する投稿時刻決定部と、
上記書き込みデータを上記情報処理装置に送信する書き込みデータ送信部と、
を備えていることを特徴とする書き込みデータ送信装置。
【請求項２】
上記投稿時刻決定部は、上記音声出力機器に送信された音声データに従って上記出力可能期間に上記音声出力機器から音声出力されなかったとき、当該音声データと対応している書き込みデータの投稿時刻を当該音声データの出力可能期間後とすることを特徴とする請求項１に記載の書き込みデータ送信装置。
【請求項３】
上記投稿時刻決定部は、上記書き込みデータが複数ある場合、当該複数の書き込みデータの上記投稿時刻を互いに異ならせることを特徴とする請求項１または２に記載の書き込みデータ送信装置。
【請求項４】
上記投稿時刻決定部は、上記書き込みデータの上記投稿時刻を、該書き込みデータと対応する上記音声データの上記出力可能期間内とすることを特徴とする請求項１〜３のいずれか１項に記載の書き込みデータ送信装置。
【請求項５】
上記書き込みデータ送信部は、上記投稿時刻決定部が決定した時刻に、上記書き込みデータを上記情報処理装置に送信することを特徴とする請求項１〜４のいずれか１項に記載の書き込みデータ送信装置。
【請求項６】
上記書き込みデータ送信部は、上記投稿時刻決定部が決定した時刻を、上記書き込みデータとともに上記情報処理装置に送信することを特徴とする請求項１〜４のいずれか１項に記載の書き込みデータ送信装置。
【請求項７】
音声データと対応付けられた先行音声データが音声出力されていないとき、該音声データの音声出力を可とする音声データ出力可否判定部を備え、
上記投稿時刻決定部は、上記音声データ出力可否判定部が音声出力を可と判定した音声データと対応する書き込みデータの投稿時刻を、該音声データの上記出力可能期間に応じて決定することを特徴とする請求項１〜６のいずれか１項に記載の書き込みデータ送信装置。
【請求項８】
上記投稿時刻決定部は、上記音声データ出力可否判定部が音声出力を可と判定した音声データと対応する書き込みデータの投稿時刻を、該音声データの上記出力可能期間後とすることを特徴とする請求項７に記載の書き込みデータ送信装置。
【請求項９】
請求項１に記載の書き込みデータ送信装置としてコンピュータを機能させるための制御プログラムであって、上記投稿時刻決定部および上記書き込みデータ送信部としてコンピュータを機能させるための制御プログラム。
【請求項１０】
複数のユーザで書き込みを共有可能なサービスを提供する情報処理装置に書き込みデータを送信する書き込みデータ送信装置の制御方法であって、
上記書き込みデータと対応している音声データに従って音声出力機器が音声出力可能な出力可能期間に応じて、上記書き込みデータが上記サービスに投稿される時刻である投稿時刻を決定する投稿時刻決定ステップと、
上記書き込みデータを上記情報処理装置に送信する書き込みデータ送信ステップと、
を含むことを特徴とする書き込みデータ送信装置の制御方法。
【請求項１１】
複数のユーザで書き込みを共有可能なサービスを提供する書き込みデータ共有システムであって、
上記サービスを提供する情報処理装置と、
上記情報処理装置に上記書き込みデータを送信する書き込みデータ送信装置と、を含み、
上記書き込みデータと対応している音声データに従って音声出力機器が音声出力可能な出力可能期間に応じて、上記書き込みデータが上記サービスに投稿される時刻である投稿時刻を決定し、
上記書き込みデータを上記情報処理装置に送信する
ことを特徴とする書き込みデータ共有システム。
【請求項１２】
複数のユーザで書き込みを共有可能なサービスを提供する情報処理装置に書き込みデータを送信する書き込みデータ送信装置から受信した音声データに従って音声を出力する音声出力機器であって、
上記音声データの出力可能期間に、ユーザの出力操作を受け付けたとき、該音声データに従って音声出力する音声出力部と、
上記出力可能期間内に上記出力操作を受け付けなかったとき、上記書き込みデータ送信装置に、該書き込みデータ送信装置から上記情報処理装置に上記音声データに対応する上記書き込みデータを送信するように指示する指示部と、
を備えていることを特徴とする音声出力機器。
【請求項１３】
請求項１２に記載の音声出力機器としてコンピュータを機能させるための制御プログラムであって、上記音声出力部および上記指示部としてコンピュータを機能させるための制御プログラム。
【発明の詳細な説明】
【技術分野】
【０００１】
本発明は、複数のユーザで書き込みを共有可能なサービスを提供する情報処理装置に書き込みデータを送信する書き込みデータ送信装置等に関する。
【背景技術】
【０００２】
近年、家庭内電気機器（以下、家庭内機器と称する）に発話させたり、ＳＮＳなどの伝言板サービスに家庭内機器としての書き込みを投稿させたり、家庭内機器から音声を出力させたりして、ユーザと家庭内機器との疑似的なコミュニケーションを実現するシステムが拡がっている。
【０００３】
例えば、特許文献１には、ネットワークを介して外部の環境情報を取得し、当該外部環境を盛り込んだ生成文を作成して出力する（所定の電子掲示板に対して送出する）ことにより、ユーザと擬人化エージェントとの電子的コミュニケーションを支援する電子コミュニケーション装置が開示されている。
【先行技術文献】
【特許文献】
【０００４】
【特許文献１】特開２００５−９２５４０号公報（２００５年４月７日公開）
【発明の概要】
【発明が解決しようとする課題】
【０００５】
家庭内機器としての書き込みの投稿と同内容の家庭内機器からの音声出力とを行う場合、書き込みの投稿時刻と音声出力時刻とが対応していないと、書き込みの投稿時刻と音声出力時刻とが大きくずれてしまい、ユーザが困惑してしまうという問題がある。
【０００６】
また、上述した従来技術では、電子掲示板への書き込みについて記載されているのみであり、書き込みの投稿時刻と音声出力時刻との対応については、開示されていない。
【０００７】
本発明は、上記の問題に鑑みてなされたものであり、その目的は、書き込みの投稿時刻を音声出力時刻と対応させた書き込みデータ送信装置等を実現することにある。
【課題を解決するための手段】
【０００８】
上記課題を解決するために、本発明の一態様に係る書き込みデータ送信装置は、複数のユーザで書き込みを共有可能なサービスを提供する情報処理装置に書き込みデータを送信する書き込みデータ送信装置であって、上記書き込みデータと対応している音声データに従って音声出力機器が音声出力可能な出力可能期間に応じて、上記書き込みデータが上記サービスに投稿される時刻を決定する投稿時刻決定部と、上記書き込みデータを上記情報処理装置に送信する書き込みデータ送信部と、を備えている。
【０００９】
また、本発明の一態様に係る書き込みデータ送信装置の制御方法は、複数のユーザで書き込みを共有可能なサービスを提供する情報処理装置に書き込みデータを送信する書き込みデータ送信装置の制御方法であって、上記書き込みデータと対応している音声データを音声出力機器が出力可能な出力可能期間に応じて、上記書き込みデータが上記サービスに投稿される時刻を決定する投稿時刻決定ステップと、上記書き込みデータを上記情報処理装置に送信する書き込みデータ送信ステップと、を含む。
【００１０】
また、本発明の一態様に係る書き込みデータ共有システムは、複数のユーザで書き込みを共有可能なサービスを提供する書き込みデータ共有システムであって、上記サービスを提供する情報処理装置と、上記情報処理装置に上記書き込みデータを送信する書き込みデータ送信装置と、を含み、上記書き込みデータ送信装置にて、上記書き込みデータと対応している音声データを音声出力機器が出力可能な出力可能期間に応じて、上記書き込みデータが上記サービスに投稿される時刻を決定し、上記書き込みデータを上記情報処理装置に送信する。
【００１１】
また、本発明の一態様に係る音声出力機器は、複数のユーザで書き込みを共有可能なサービスを提供する情報処理装置に書き込みデータを送信する書き込みデータ送信装置から受信した音声データに従って音声を出力する音声出力機器であって、上記音声データの出力可能期間に、ユーザの出力操作を受け付けたとき、該音声データに従って音声出力する音声出力部と、上記出力可能期間内に上記出力操作を受け付けなかったとき、上記書き込みデータ送信装置に、該書き込みデータ送信装置から上記情報処理装置に上記音声データに対応する上記書き込みデータを送信するように指示する指示部と、を備えている。
【発明の効果】
【００１２】
本発明の一態様によれば、音声出力時刻と投稿時刻とのずれを抑えることができ、音声出力時刻と投稿時刻とが大きくずれることによるユーザの困惑を防ぐことができるという効果を奏する。
【図面の簡単な説明】
【００１３】
【図１】本発明の実施形態１および２に係る家族伝言板システムのエージェントサーバおよび空調装置の要部構成の一例を示すブロック図である。
【図２】本発明の実施形態１および２に係る家族伝言板システムの概要を示す図である。
【図３】図１に示すエージェントサーバに格納されている条件テーブルのデータ構造および具体例を示す図である。
【図４】図１に示すエージェントサーバに格納されている音声データテーブルのデータ構造および具体例を示す図である。
【図５】図１に示すエージェントサーバに格納されている投稿データテーブルのデータ構造および具体例を示す図である。
【図６】図１に示す空調装置に格納されている受信音声データテーブルのデータ構造および具体例を示す図である。
【図７】図１に示すエージェントサーバが実行する投稿処理の流れの一例を示すフローチャートである。
【図８】図１に示す空調装置が実行する発話処理の流れの一例を示すフローチャートである。
【図９】（ａ）は、実施形態２に係る条件テーブルのデータ構造および具体例を示す図であり、（ｂ）は、実施形態２に係る投稿データテーブルのデータ構造および具体例を示す図である。
【図１０】本発明の実施形態３に係る家族伝言板システムのエージェントサーバおよび電子レンジの要部構成の一例を示すブロック図である。
【図１１】（ａ）は、図１０に示すエージェントサーバに格納されている音声データテーブルのデータ構造および具体例を示す図であり、（ｂ）は、図１０に示すエージェントサーバに格納されている投稿データテーブルのデータ構造および具体例を示す図である。
【図１２】図１０に示すエージェントサーバが実行する投稿処理の流れの一例を示すフローチャートである。
【図１３】図１０に示す電子レンジが実行する発話処理の流れの一例を示すフローチャートである。
【図１４】上記のエージェントサーバ、空調装置、および電子レンジとして利用可能なコンピュータの構成を例示したブロック図である。
【発明を実施するための形態】
【００１４】
〔実施形態１〕
本発明の一実施形態について、図１〜図８に基づいて説明すれば以下のとおりである。
【００１５】
（家族伝言板システム１００）
まず、本実施形態に係る家族伝言板システム（書き込みデータ共有システム）１００の概要について、図２を参照して説明する。図２は、家族伝言板システム１００の概要を示す図である。家族伝言板システム１００は、予め登録されたユーザ（図２に示す例ではお父さん、お母さん、子供）の間で情報を共有可能な電子伝言板（いわゆるソーシャル・ネットワーク・サービス）を提供するシステムである。家族伝言板システム１００は、エージェントサーバ（書き込みデータ送信装置）１、家族伝言板サーバ（情報処理装置）２ｂ、ホームサーバ２ｃ、家庭内に配置された家庭内機器（音声出力機器）３（空調装置３ａ、電子レンジ３ｂ、掃除ロボット３ｃ）、スマートフォン４ａ、スマートフォン４ｂ、スマートフォン４ｃを含む。
【００１６】
なお図２では、家庭内機器３が空調装置３ａ、電子レンジ３ｂ、掃除ロボット３ｃである例を示すが、家庭内機器３の種類および数は、図２の例に限定されない。
【００１７】
また、スマートフォン４ａ、スマートフォン４ｂ、スマートフォン４ｃを特に区別する必要が無い場合は、単に「スマートフォン４」と称する。なお、家族伝言板システム１００に含まれるスマートフォン４の数は、家族の人数に応じて変わるため、図２の例に限定されない。
【００１８】
エージェントサーバ１は、家族伝言板サーバ２ｂに書き込みデータを送信することで、家族伝言板に家庭内機器３としての書き込み（メッセージ）を投稿する。また、本実施形態のエージェントサーバ１は、外部サーバ２ａと通信可能である。外部サーバ２ａは、エージェントサーバ１が投稿するメッセージを決定するための情報を管理している。なお、本実施形態の外部サーバ２ａは天気予報に関する情報である天気予報データを管理しているものとして説明する。ただし、外部サーバ２ａは、天気予報データを管理するサーバに限定されるものではない。
【００１９】
エージェントサーバ１は、外部サーバ２ａから取得した天気予報データに応じて、家庭内機器３の各々を擬人化したキャラクタとして、家族伝言板にメッセージを投稿する。これにより、ユーザは家族伝言板において家庭内機器３の各々とのコミュニケーションを疑似体験できる。なお、本実施形態においては、空調装置３ａを擬人化したキャラクタが、家族伝言板にメッセージを投稿する例を説明する。
【００２０】
また、エージェントサーバ１は、ホームサーバ２ｃを介して、家庭内機器３が出力する音声データを家庭内機器３に送信する。例えば、本実施形態のエージェントサーバ１は、外部サーバ２ａから受信した天気予報データに応じた音声データを空調装置３ａに送信する。これにより、家庭内機器３の各々は、外部サーバ２ａから取得した情報に応じた音声を出力することができる。
【００２１】
家族伝言板サーバ２ｂは、エージェントサーバ１から受信した投稿データ（書き込みデータ）を家族伝言板に投稿する。また、家族伝言板サーバ２ｂは、スマートフォン４に対する家族伝言板の表示画面の提示、およびメッセージの管理などの、家族伝言板に関する処理全般を行う。
【００２２】
ホームサーバ２ｃは、家庭内機器３の各々と、エージェントサーバ１との間の情報の送受信を統括して制御する。ホームサーバ２ｃには、家庭内機器３の各々が通信可能に無線接続されており、ホームサーバ２ｃは、エージェントサーバ１から受信した音声データを各家庭内機器３に送信する。なお、ホームサーバ２ｃは、センシングデータや音声出力ログなどを家庭内機器３から受信して、エージェントサーバ１に送信してもよい。
【００２３】
なお、ホームサーバ２ｃは必須ではなく、ホームサーバ２ｃの役割を家庭内機器３が実行してもよい。この場合、家庭内機器３が直接エージェントサーバ１と通信可能に接続されていてもよい。
【００２４】
家庭内機器３は、ホームサーバ２ｃから受信した音声データに従って音声を出力する。なお、掃除ロボット３ｃがホームサーバ２ｃからの音声データをすべて受信してもよい。この場合、掃除ロボット３ｃが受信した音声データの送信先（受信した音声データに従って音声を出力する家庭内機器３）を特定し、特定した家庭内機器３に音声データを送信する。
【００２５】
スマートフォン４は、ユーザが家族伝言板にメッセージを投稿したり、家族伝言板を閲覧したりするための端末装置である。なお、ユーザはスマートフォン４を操作して、家庭内機器３を制御するための操作指示を送信してもよい。当該操作指示は、家族伝言板サーバ２ｂ、エージェントサーバ１、ホームサーバ２ｃを介して家庭内機器３に送信されてもよいし、その他の通信経路によって家庭内機器３に送信されてもよい。
【００２６】
（エージェントサーバ１の要部構成）
次に、図１を参照して、エージェントサーバ１の要部構成について説明する。図１は、エージェントサーバ１および空調装置３ａの要部構成の一例を示すブロック図である。なお、空調装置３ａの要部構成については後述する。
【００２７】
図１に示すように、エージェントサーバ１は、通信部１１、制御部１２、および記憶部１３を備える。
【００２８】
通信部１１は、外部サーバ２ａ、家族伝言板サーバ２ｂ、およびホームサーバ２ｃとの通信を行う通信デバイスである。具体的には、通信部１１は、後述する出力情報決定部（音声データ出力可否判定部）１２１によって制御されて、外部サーバ２ａから天気予報データを受信し、出力情報決定部１２１に出力する。
【００２９】
ここで、天気予報データについて説明する。天気予報データとは、所定の期間（例えば当日から今後１週間など）の天気、最高気温、最低気温、湿度、降水確率を示す情報、並びに、ＰＭ（particulate matter）２．５、花粉、および黄砂の量などを示す情報が含まれる。なお、天気予報データは天気に関する情報であればよく、上述した例に限定されない。例えば他にも、注意報、警報、風の強さ、波の高さ、台風の進路を示す情報などが含まれてもよい。
【００３０】
また、通信部１１は、後述する音声送信制御部１２２によって制御されて、音声データをホームサーバ２ｃに送信する。また、通信部１１は、後述する投稿制御部１２３によって制御されて、投稿データを家族伝言板サーバ２ｂに送信する。
【００３１】
記憶部１３は、エージェントサーバ１が使用する各種データを記憶する記憶デバイスである。具体的には、記憶部１３は条件テーブル１３１、音声データテーブル１３２、および投稿データテーブル１３３を格納している。
【００３２】
ここで条件テーブル１３１、音声データテーブル１３２、および投稿データテーブル１３３の詳細について、図３〜図５を参照して説明する。図３は、条件テーブル１３１のデータ構造および具体例を示す図である。図４は、音声データテーブル１３２のデータ構造および具体例を示す図である。図５は、投稿データテーブル１３３のデータ構造および具体例を示す図である。
【００３３】
条件テーブル１３１は、出力情報を識別する出力情報ＩＤと、出力情報ＩＤが示す出力情報が出力されるための、天気予報データに関する条件である天気予報条件とを対応付けて記憶している。なお、ここで記載した「出力情報」とは、１対１で対応する音声データと投稿データとの組み合わせを示す。そして、「出力情報が出力される」とは、音声データがホームサーバ２ｃ（家庭内機器３）に送信される、かつ当該音声データと１対１で対応する投稿データが家族伝言板サーバ２ｂに送信されることを示す。
【００３４】
また、出力情報ＩＤ、および当該出力情報ＩＤと対応付けられた天気予報条件をテーブル形式で記憶することは一例であり、これらの記憶形式はテーブル形式に限定されるものではない。
【００３５】
「出力情報ＩＤ」のカラムには、出力情報を識別する出力情報ＩＤが登録される。出力情報ＩＤは、各出力情報を識別可能な情報であればよく、図３に示すようなアルファベットと数字からなる文字列に限定されない。
【００３６】
「天気予報条件」のカラムには、出力情報ＩＤが示す出力情報が出力されるための条件を示す情報であり、外部サーバ２ａから受信した天気予報データに関する条件を示す情報が登録される。
【００３７】
「データ取得時刻」のカラムには、出力情報決定部１２１が天気予報データを取得する時刻の情報が登録される。この情報は、対応付けられた出力情報ＩＤが示す出力情報が出力されるための条件の１つである。なお以降、この情報をデータ取得時刻情報、当該情報が示す時刻を「データ取得時刻」と称する場合がある。
【００３８】
音声データテーブル１３２は、上述した出力情報ＩＤおよび発話可能時間（出力可能期間）情報と、音声データとを対応付けて記憶している。なお、図４に示すようにこれらの情報をテーブル形式で記憶する構成は一例であり、記憶形式はテーブル形式に限定されるものではない。また、「出力情報ＩＤ」のカラムに登録される情報は、条件テーブル１３１における「出力情報ＩＤ」のカラムに登録される情報とそれぞれ同様であるため、ここでの説明を省略する。
【００３９】
また、図４に示した例では、発話可能時間として時間（６：００〜１０：００等）を指定しているが、これに限られず、エージェントサーバ１が音声データを送信後（家庭内機器３が受信後）、何時間という形式で指定してもよい。例えば、「送信後４時間」と指定すれば、家庭内機器３が音声データを受信後、４時間が発話可能時間となる。換言すれば、家庭内機器３が受信した時刻が６：００であれば、６：００〜１０：００が発話可能時間となる。また、受信した家庭内機器３では、受信時から経過時間を管理して発話可能時間を管理してもよいし、受信時に受信時刻から時間に変換して「何時〜何時」という形式で管理してもよい。
【００４０】
「音声データ」のカラムには、家庭内機器３が出力する音声の基となる音声データが登録される。なお図４に示す例では、ｗａｖ形式の音声データが登録されているが、この例に限定されるものではない。例えば、ｍｐ３形式のデータであってもよいし、音声出力機器がテキスト読み上げ可能であれば、テキストデータでもよい。すなわち、出力音声を規定するデータであればどのようなものであってもよい。
【００４１】
投稿データテーブル１３３は、上述した出力情報ＩＤ、家族伝言板に投稿される文字列である投稿内容、並びに家族伝言板に投稿される画像である投稿画像を対応付けて記憶している。なお、図５に示すようにこれらの情報をテーブル形式で記憶する構成は一例であり、記憶形式はテーブル形式に限定されるものではない。また、「出力情報ＩＤ」のカラムに登録される情報は、条件テーブル１３１における「出力情報ＩＤ」のカラムに登録される情報とそれぞれ同様であるため、ここでの説明を省略する。
【００４２】
「投稿内容」のカラムには上述した投稿内容が登録される。この投稿内容は、天気予報データに含まれる情報に関する文字列であったり、天気予報データに含まれる情報に関連した空調装置３ａの機能に関する文字列であったりする。また、「投稿画像」のカラムには上述した投稿画像が格納される。この投稿画像は、空調装置を擬人化したイラストである。なお、本実施形態における投稿データとは、図５に示す投稿内容および投稿画像を示す。
【００４３】
なお、図４を参照して説明した音声データの内容は、同じ出力情報ＩＤに対応付けられている投稿内容と同様である。つまり、Ｄ０００１という出力情報ＩＤに対応付けられた音声データは、「今日は外の空気の汚れがひどいみたい。窓を開けられないときは、プラズマクラスター運転がおすすめだよ。」という音声を出力するためのデータである。ただし、音声データの内容と投稿データの内容とが一字一句同じである必要はない。同じ内容を提示するものであればよく、音声データは音声としてユーザが聞いたときに適切と感じる表現であってよく、また、投稿データはユーザが見たときに文字等として適切と感じる記載であってよい。
【００４４】
制御部１２は、エージェントサーバ１の機能を統括して制御するものであり、出力情報決定部１２１、音声送信制御部１２２、および投稿制御部１２３を含む。
【００４５】
出力情報決定部１２１は、出力する出力情報、すなわち、ホームサーバ２ｃに送信する音声データ、および家族伝言板サーバ２ｂに送信する投稿データを決定する。具体的には、出力情報決定部１２１は、現在時刻がデータ取得時刻になったとき、通信部１１を制御して外部サーバ２ａから天気予報データを受信する。そして、受信した天気予報データと条件テーブル１３１とを参照して、当該天気予報データを受信した時刻と一致するデータ取得時刻情報を含むレコードをまず特定する。そして、特定したレコードに含まれる天気予報条件を満たす情報が、受信した天気予報データにあるか否かを判定する。ここで、天気予報条件を満たす情報がある場合、当該天気予報条件に対応付けられた出力情報ＩＤを読み出し、音声送信制御部１２２に供給する。
【００４６】
音声送信制御部１２２は、音声データをホームサーバ２ｃを介して家庭内機器３に供給する。具体的には、音声送信制御部１２２は、出力情報決定部１２１から供給された出力情報ＩＤと一致する出力情報ＩＤを含む音声レコード１３２１を、音声データテーブル１３２から特定し、特定した音声レコード１３２１を読み出す。そして、読み出した音声レコード１３２１を、通信部１１を制御してホームサーバ２ｃに送信する。
【００４７】
また音声送信制御部１２２は、読み出した音声レコード１３２１を投稿制御部１２３に供給する。
【００４８】
投稿制御部１２３は、投稿データを家族伝言板サーバ２ｂに送信するものであり、投稿レコード選択部１２３１、投稿時刻決定部１２３２、送信指示部（書き込みデータ送信部）１２３３を含む。
【００４９】
詳細には、投稿レコード選択部１２３１は、音声送信制御部１２２から供給された音声レコード１３２１における出力情報ＩＤと一致する出力情報ＩＤを含む投稿レコード１３３１を、投稿データテーブル１３３から特定し、特定した投稿レコード１３３１を読み出す。そして、読み出した投稿レコード１３３１を音声レコード１３２１とともに投稿時刻決定部１２３２に供給する。
【００５０】
投稿時刻決定部１２３２は、供給された投稿レコード１３３１に含まれる投稿データを投稿する時刻を、供給された音声レコード１３２１に含まれる発話可能時間に基づいて決定する。本実施形態では、発話可能時間内の任意の時刻を投稿時刻として決定している。そして、決定した投稿時刻を投稿レコード１３３１とともに送信指示部１２３３に供給する。
【００５１】
投稿時刻を発話可能時間内に決定することにより、同じ出力情報ＩＤに対応付けられた音声データと投稿データとについて、家庭内機器３から当該音声データに従って音声が出力される時刻と、家族伝言板に投稿データに基づくメッセージが投稿される時刻とが大きくずれることが無くなる。また、投稿すると決定した複数の投稿データの投稿時刻をずらし、かつ、それぞれの投稿時刻が、対応する音声データに従う音声出力の時刻と大きくずれないようにすることができる。
【００５２】
送信指示部１２３３は、投稿時刻決定部１２３２が決定した投稿時刻に、通信部１１を制御して投稿データ（読み出した投稿レコード１３３１に含まれる投稿内容および投稿画像）を家族伝言板サーバ２ｂに送信する。
【００５３】
なお、送信指示部１２３３は、投稿時刻に投稿データを送信するのではなく、投稿時刻決定時に決定された投稿時刻とともに、投稿データを家族伝言板サーバ２ｂに送信するものであってもよい。これにより、投稿データを送信後に何らかの理由で、家族伝言板サーバ２ｂとの通信回線が切断した場合でも、投稿時刻に、家族伝言板サーバ２ｂにて家族伝言板への投稿が可能となる。
【００５４】
ここで、出力情報決定部１２１は、複数の出力情報ＩＤを読み出す場合がある。この詳細について図３を参照して説明する。
【００５５】
例えば、６：００に受信した天気予報データにおける今日のＰＭ２．５のデータがランク３、今日の花粉情報が５、および今日の黄砂予報のデータがランク３である場合、Ｄ０００１という出力情報ＩＤを読み出す。このとき、同じ天気予報データにおいて、当日から７日後までのすべての日において最低気温が１５℃以上、当日から７日後までのすべての日において最高気温が２４℃以下、今日の日付が３月〜５月の範囲に含まれる場合、Ｄ００１１という出力情報ＩＤもまた読み出す。
【００５６】
従来のエージェントサーバの場合、出力すると決定した出力情報は直ちに出力される。そのため、同じ天気予報データに応じて、複数の出力情報の出力が決定された場合、家族伝言板に連続して家庭内機器３からのメッセージが表示されることとなる。これにより、家族伝言板が家庭内機器３からのメッセージで埋まってしまうという問題がある。
【００５７】
これに対して本実施形態では、図３に示すように、同時に読み出される可能性がある出力情報ＩＤに対応する投稿データの投稿時刻をそれぞれ異ならせることができる。これにより、出力の決定が同時になされた複数の出力情報（投稿データ）について、投稿制御部１２３は異なる時刻に家族伝言板サーバ２ｂに送信する。よって、家族伝言板が家庭内機器３からのメッセージで埋まってしまうという状況を防ぐことができる。
【００５８】
（空調装置３ａの要部構成）
次に、図１を参照して、空調装置３ａの要部構成について説明する。なお、空調装置３ａにおいて、本発明に直接関係のない部分（例えば、排気を制御する部分など）については、以下の説明および図１のブロック図から省略している。また、図１において空調装置３ａを記載しているのは一例であり、家庭内機器３であれば空調装置３ａに限定されない。例えば図２に示す電子レンジ３ｂであってもよい。空調装置３ａ以外の家庭内機器３であっても、本実施形態に係る家庭内機器３における要部構成は、図１に示す空調装置３ａと同様である。
【００５９】
図１に示すように、空調装置３ａは、機器通信部３１、機器制御部３２、記憶部３３、入力部３４、報知部３５、およびスピーカ３６を備える。
【００６０】
機器通信部３１は、ホームサーバ２ｃとの通信を行う通信デバイスである。具体的には、機器通信部３１は、エージェントサーバ１から送信された、音声データを含む音声レコード１３２１を、ホームサーバ２ｃを介して受信する。そして、受信した音声レコード１３２１を後述する音声出力制御部（音声出力部、指示部）３２１に出力する。
【００６１】
記憶部３３は、空調装置３ａが使用する各種データを記憶する記憶デバイスである。具体的には、記憶部３３は受信音声データテーブル３３１を格納している。
【００６２】
ここで、受信音声データテーブル３３１の詳細について、図６を参照して説明する。図６は、受信音声データテーブル３３１のデータ構造および具体例を示す図である。
【００６３】
受信音声データテーブル３３１は、エージェントサーバ１から受信した音声レコード１３２１を受信音声レコード３３１１として登録したものである。なお、図６に示すようにこれらの情報をテーブル形式で記憶する構成は一例であり、記憶形式はテーブル形式に限定されるものではない。また、「出力情報ＩＤ」、「音声データ」、「発話可能時間」のカラムの詳細については、音声データテーブル１３２における同一名称の各カラムと同様であるため、ここでの説明を省略する。「Ｎｏ」のカラムには、受信音声レコード３３１１が受信音声データテーブル３３１に登録された順番を示す数字（番号）が登録されるが、この例に限定されるものではない。例えば、出力情報ＩＤの数字が若い順に番号が付されてもよい。また、「Ｎｏ」のカラムは受信音声データテーブル３３１に必須ではなく、省略されてもよい。
【００６４】
入力部３４は、ユーザの入力操作を受け付ける入力デバイスであり、例えばユーザが押下することができるボタンや、リモコン（不図示）からの指示を受けるための赤外線受光部などであるが、この例に限定されるものではない。入力部３４は、入力操作（出力操作）を受け付けたことを後述する音声出力制御部３２１に通知する。
【００６５】
報知部３５は、音声出力可能な音声データがあることをユーザに報知する。なお、本実施形態の報知部３５はＬＥＤ（Light Emitting Diode）であるものとして説明する。具体的には、報知部３５は、音声出力可能な音声データがある場合、後述する報知制御部３２２によって制御されて、点灯（または点滅）する。これにより、ユーザに音声出力可能な音声データがあることを報知する。なお、報知部３５は、音声出力可能な音声データがあることをユーザに報知することができればよく、ＬＥＤに限定されない。例えばディスプレイやスピーカであってもよい。また、報知部３５は必須ではない。例えば、ＬＥＤ、ディスプレイ、スピーカを設けていない家庭内機器３であれば、報知部３５は不要である。
【００６６】
スピーカ３６は、後述する音声出力制御部３２１によって制御されて、音声データに基づく音声を出力する。
【００６７】
機器制御部３２は、空調装置３ａの機能を統括して制御するものであり、音声出力制御部３２１、および報知制御部３２２を含む。
【００６８】
音声出力制御部３２１は、空調装置３ａからの音声出力を制御する。具体的には、音声出力制御部３２１は、機器通信部３１から音声レコード１３２１を受け取って、受信音声データテーブル３３１に受信音声レコード３３１１として登録する。また、音声出力制御部３２１は、現在時刻が、受信音声データテーブル３３１に登録されたいずれかの受信音声レコード３３１１に含まれる発話可能時間情報が示す期間内になったとき、その旨および当該発話可能時間情報を報知制御部３２２に通知する。
【００６９】
さらに、音声出力制御部３２１は、入力部３４から入力操作を受け付けたことを通知されると、受信音声データテーブル３３１を参照して、現在時刻を発話可能時間内に含む受信音声レコード３３１１のうちの１つを特定する。そして、特定した受信音声レコード３３１１に含まれる音声データを読み出し、音声データに基づいて音声信号を生成し、スピーカ３６から該音声データに基づく音声を出力させる。
【００７０】
なお、現在時刻を発話可能時間内に含む受信音声レコード３３１１が複数ある場合、当該複数の受信音声レコード３３１１からランダムに１つを選択することで１つの受信音声レコード３３１１を特定してもよいし、「Ｎｏ」のカラムに登録された数字が最も若い受信音声レコード３３１１を選択することで１つの受信音声レコード３３１１を特定してもよい。
【００７１】
また、音声出力制御部３２１は、音声として出力した音声データを含む受信音声レコード３３１１、および、発話可能時間が現在時刻より前となった（発話可能時間が終了した）受信音声レコード３３１１を受信音声データテーブル３３１から削除する。
【００７２】
報知制御部３２２は、報知部３５を制御するものである。報知制御部３２２は、音声出力制御部３２１からの通知を受けると、報知部３５を点灯（または点滅）させる。また、通知された発話可能時間情報が示す期間が終了すると、報知制御部３２２は報知部３５を消灯させる。なお、上述したように報知部３５は必須ではなく、報知部３５を含まない場合は、報知制御部３２２も含まない構成であってよい。
【００７３】
（投稿処理の流れ）
次に、図７を参照して、エージェントサーバ１が実行する投稿処理の流れについて説明する。図７は、エージェントサーバ１が実行する投稿処理の流れの一例を示すフローチャートである。
【００７４】
まず、出力情報決定部１２１は、データ取得時刻になるまで待機している（Ｓ１）。そして、データ取得時刻になったとき（Ｓ１でＹＥＳ）、外部サーバ２ａから天気予報データを取得する（Ｓ２）。
【００７５】
続いて、出力情報決定部１２１は、条件テーブル１３１に取得した天気予報データと合致する天気予報条件があるか否かを判定する（Ｓ３）。具体的には、出力情報決定部１２１は、受信した天気予報データと条件テーブル１３１とを参照して、当該天気予報データを受信した時刻と一致するデータ取得時刻情報を含むレコードをまず特定する。そして、特定したレコードに含まれる天気予報条件を満たす情報が、受信した天気予報データにあるか否かを判定する。ここで、合致する天気予報条件が無い場合（Ｓ３でＮＯ）、投稿処理は終了する。
【００７６】
一方、合致する天気予報条件がある場合（Ｓ３でＹＥＳ）、出力情報決定部１２１は、天気予報データと合致する天気予報条件に対応付けられた出力情報ＩＤを特定する（Ｓ４、送信データ決定ステップ）。具体的には、天気予報データと合致する天気予報条件と同レコードの出力情報ＩＤを読み出し、音声送信制御部１２２に供給する。
【００７７】
音声送信制御部１２２は、特定した出力情報ＩＤを含む音声レコード１３２１を読み出す（Ｓ５）。具体的には、音声送信制御部１２２は、出力情報決定部１２１から供給された出力情報ＩＤを含む音声レコード１３２１を、音声データテーブル１３２から読み出す。そして、音声送信制御部１２２は、読み出した音声レコード１３２１をホームサーバ２ｃに送信する（Ｓ６）。
【００７８】
続いて、投稿制御部１２３は、特定した出力情報ＩＤを含む投稿レコード１３３１を読み出し、投稿時刻を決定する（Ｓ７、投稿時刻決定ステップ）。具体的には、投稿制御部１２３は、音声送信制御部１２２から供給された出力情報ＩＤを含む投稿レコード１３３１を、投稿データテーブル１３３から読み出す。そして、音声送信制御部１２２から供給された音声レコード１３２１に含まれる発話可能時間に基づいて、投稿データを投稿する（投稿データを家族伝言板サーバ２ｂに送信する）時刻（投稿時刻）を決定する。
【００７９】
そして、投稿制御部１２３は、決定した投稿時刻になるまで待機する（Ｓ８）。決定した投稿時刻になったとき（Ｓ８でＹＥＳ）、投稿制御部１２３は、投稿データを家族伝言板サーバ２ｂに送信する（Ｓ９、書き込みデータ送信ステップ）。具体的には、投稿制御部１２３は、読み出した投稿レコード１３３１に含まれる投稿内容および投稿画像を家族伝言板サーバ２ｂに送信する。
【００８０】
続いて、投稿制御部１２３は、読み出した投稿レコード１３３１に、投稿データを未送信の投稿レコード１３３１があるか否かを判定する（Ｓ１０）。投稿データを未送信の投稿レコード１３３１が無い場合（Ｓ１０でＮＯ）、投稿処理は終了する。
【００８１】
これに対して、投稿データを未送信の投稿レコード１３３１がある場合（Ｓ１０でＹＥＳ）、ステップＳ８の処理に戻り、投稿制御部１２３は、投稿データを未送信の投稿レコード１３３１の投稿時刻になるまで待機する。そして、ステップＳ８からステップＳ１０までの処理を、投稿データを未送信の投稿レコード１３３１がなくなるまで繰り返す。
【００８２】
（発話処理の流れ）
次に、図８を参照して、空調装置３ａが実行する発話処理の流れについて説明する。図８は、空調装置３ａが実行する発話処理の流れの一例を示すフローチャートである。
【００８３】
まず、音声出力制御部３２１は、ホームサーバ２ｃから送信される音声レコード１３２１を待機している（Ｓ２１）。ここで、ホームサーバ２ｃから音声レコード１３２１を受信したとき（Ｓ２１でＹＥＳ）、受信した音声レコード１３２１を受信音声データテーブル３３１に追加する（Ｓ２２）。具体的には、受信した音声レコード１３２１を、受信音声レコード３３１１として受信音声データテーブル３３１に登録する。
【００８４】
そして、音声出力制御部３２１は、現在時刻がいずれかの音声データの発話可能時間になるまで待機している（Ｓ２３）。ここで、いずれかの音声データの発話可能時間になったとき（Ｓ２３でＹＥＳ）、具体的には、現在時刻が、受信音声データテーブル３３１に登録されたいずれかの受信音声レコード３３１１に含まれる発話可能時間情報が示す期間内になったとき、その旨および当該発話可能時間情報を報知制御部３２２に通知する。
【００８５】
そして、報知制御部３２２は、発話可能な音声データがあることをユーザに報知する（Ｓ２４）。具体的には、報知制御部３２２は、音声出力制御部３２１からの通知を受けると、報知部３５を点灯（または点滅）させる。
【００８６】
報知部３５を点灯(または点滅)させた後、空調装置３ａは、ユーザからの発話指示の入力を待機する状態となる（Ｓ２５）。ここで、入力部３４に対してユーザからの発話指示が入力されたとき（Ｓ２５でＹＥＳ）、音声出力制御部３２１に発話指示が入力されたことが通知される。音声出力制御部３２１は、当該通知を受けると、発話可能な音声データのうちの１つを出力する（Ｓ２６）。具体的には、音声出力制御部３２１は、受信音声データテーブル３３１を参照して、現在時刻を発話可能時間内に含む受信音声レコード３３１１のうちの１つを特定する。そして、特定した受信音声レコード３３１１に含まれる音声データを読み出し、スピーカ３６に読み出した音声データに基づく音声を出力させる。
【００８７】
続いて、音声出力制御部３２１は、出力した音声データを含む受信音声レコード３３１１を受信音声データテーブル３３１から削除する（Ｓ２７）。
【００８８】
なお、ステップＳ２７の処理は必須ではなく、音声データの音声出力後も当該音声データを含む音声レコードを削除しない構成であってもよい。この場合、後述するステップＳ３２において音声レコードが削除される。したがって、発話可能時間内は、音声レコードが維持されることになる。これにより、一度再生された音声データを、発話可能時間内であれば、発話指示の入力により、再度再生させることが可能となる。
【００８９】
一方、入力部３４に対してユーザからの発話指示が入力されず（Ｓ２５でＮＯ）、発話可能な音声データの発話可能時間が終了した場合（Ｓ３１でＹＥＳ）、音声出力制御部３２１は、発話可能時間が終了した受信音声レコード３３１１を受信音声データテーブル３３１から削除する（Ｓ３２）。
【００９０】
ここで、報知制御部３２２は、音声出力制御部３２１から通知された発話可能時間情報を参照して、現在時刻が発話可能時間内である限り、換言すれば、発話可能な音声データがある限り報知部３５の点灯（または点滅）を継続させる（Ｓ２８）。そして、発話可能な音声データが無くなった場合（Ｓ２８でＮＯ）、換言すれば、通知された発話可能時間情報が示す期間が終了した場合、発話可能な音声データが無いことをユーザに報知する（Ｓ２９）。具体的には、報知制御部３２２は報知部３５を消灯させる。
【００９１】
空調装置３ａは、受信音声データテーブル３３１に受信音声レコード３３１１がある限り（Ｓ３０でＹＥＳ）、ステップＳ２３以降の処理を繰り返す。一方、受信音声データテーブル３３１に受信音声レコード３３１１が無くなった場合（Ｓ３０でＮＯ）、発話処理を終了する。
【００９２】
なお、上述した実施形態では、エージェントサーバ１にて投稿時刻の決定を行ったが、これに限られるものではない。例えば、エージェントサーバ１から家族伝言板サーバ２ｂには、投稿データのみが送られ、家族伝言板サーバ２ｂが受け取った投稿データの投稿時刻を決定するものであってもよい。
【００９３】
〔実施形態２〕
本発明の他の実施形態について、図９に基づいて説明すれば、以下のとおりである。図９の（ａ）は、本実施形態に係る条件テーブル１３１のデータ構造および具体例を示す図であり、図９の（ｂ）は、本実施形態に係る投稿データテーブル１３３のデータ構造および具体例を示す図である。なお、図９に示すようにテーブル形式で記憶する構成は一例であり、記憶形式はテーブル形式に限定されるものではない。また、説明の便宜上、前記実施形態にて説明した部材と同じ機能を有する部材については、同じ符号を付記し、その説明を省略する。
【００９４】
本実施形態に係るエージェントサーバは、条件テーブルが実施形態１にて説明した条件テーブル１３１と異なるのみである。そのため、本実施形態に係るエージェントサーバは、実施形態１にて説明したエージェントサーバ１（図１参照）であるとして説明する。ただし、図１の条件テーブル１３１は本実施形態にて説明する条件テーブル２３１に置き換わっている。
【００９５】
本実施形態に係る条件テーブル２３１には、図９の（ａ）に示すように、実施形態１にて説明した出力情報ＩＤおよび天気予報条件に、関連データ条件が対応付けられている。関連データ条件は、同レコードの出力情報ＩＤが示す出力情報と関連する別の出力情報に基づく条件を示す情報であり、具体的には、関連する別の出力情報における音声データ（先行音声データ）および投稿データの少なくとも何れかが、所定の期間（以降、有効期間と称する）中にホームサーバ２ｃまたは家族伝言板サーバ２ｂに送信されていないという条件を示す情報である。関連データ条件は、上記別の出力情報が有効期間内に出力されていない場合に出力すべき出力情報の出力情報ＩＤに対応付けられる。
【００９６】
本実施形態に係る出力情報決定部１２１は、関連データ条件が出力情報ＩＤに対応付けられている出力情報の場合、天気予報条件および関連データ条件を満たすときに、当該出力情報を出力すると決定する。つまり、関連出力情報が出力情報ＩＤに対応付けられている出力情報は、別の出力情報が有効期間内に出力されている場合には出力されない。
【００９７】
例えば、図９の（ａ）に示す、Ｄ００２１という出力情報ＩＤが示す出力情報は、今年初めての夏日予想が今日発表されたことを出力するための情報である（図５参照）。当該情報の出力情報ＩＤには、図９の（ａ）に示すように、関連データ条件として「Ｄ００２２およびＤ００２３がホームサーバに送信されていない（有効期間：今年度）」という情報が対応付けられている。ここで、Ｄ００２２およびＤ００２３が示す出力情報はそれぞれ、今年初めての真夏日予想および猛暑日予想が今日発表されたことを出力するための情報である。なお、上記では有効期間として「今年度」としているが、投稿される内容に合わせて、「今年」としてもよいし、「今年度」としてもよい。
【００９８】
今年初めての夏日予想は、夏日が真夏日および猛暑日より最高気温が低い日であることから、真夏日予想および猛暑日予想が今年度に出力されていない場合に出力すべき情報である。このため、本実施形態に係る出力情報決定部１２１は、６：００に取得した天気予報データに、今日の最高気温が今年初めて２５℃以上３０℃未満であることを示す情報が含まれており、かつ、Ｄ００２２およびＤ００２３が今年度にまだ出力されていない場合に、Ｄ００２１が示す出力情報を出力すると決定する。
【００９９】
なお、有効期間は上述した今年度に限定されるものではない。例えば、図９の（ａ）に示す、Ｄ００３２という出力情報ＩＤが示す出力情報は、図９の（ｂ）に示すように、今夜が熱帯夜となることを出力するための情報である。Ｄ００３２には、「Ｄ００３１がホームサーバに送信されていない（有効期間：本日）」という関連データ条件が対応付けられている。
【０１００】
ここで、Ｄ００３１が示す出力情報は、Ｄ００３２と同様に今夜が熱帯夜となることを出力するための情報である。ただし、図９の（ａ）に示すように、Ｄ００３１は、６：００に取得した天気予報データに、今日および明日の最低気温がいずれも２５℃以上であることを示す情報が含まれている場合に出力される。つまり、本日６：００の時点で熱帯夜の条件を満たす天気予報データを取得している場合は、Ｄ００３１に対応する発話可能時間から決定された投稿時刻にＤ００３１が示す投稿データが家族伝言板に投稿されていることになる。例えば、Ｄ００３１に対応する発話可能時間が６：００〜１０：００であり、決定された投稿時刻が８：３０である場合、８：３０にＤ００３１が示す投稿データが家族伝言板に投稿されていることになる。すなわち、午前中に「今夜が熱帯夜になること」が出力されている。
【０１０１】
そして、今夜が熱帯夜となることが既に出力されている場合は、同じ情報を改めて出力する必要は無い。つまりＤ００３２が示す出力情報は、今晩が熱帯夜となることがまだ出力されていない場合に出力すべき情報である。
【０１０２】
そのため、本実施形態に係る出力情報決定部１２１は、１５：１５に取得した天気予報データに、今日および明日の最低気温がいずれも２５℃以上であることを示す情報が含まれており、かつＤ００３１が本日まだ出力されていない場合に、Ｄ００３２が示す出力情報を出力すると決定する。
【０１０３】
なお、Ｄ００３１が示す出力情報とＤ００３２が示す出力情報とは、ともに今夜が熱帯夜となることを出力する情報であるが、図９の（ｂ）に示すように、投稿内容の示す意味が変わらない限り、その文字列が異なっていてもよい。
【０１０４】
以上のように、本実施形態のエージェントサーバ１は、関連データ条件が出力情報ＩＤに対応付けられている出力情報については、天気予報条件を満たし、かつ関連データ条件にて示された出力情報ＩＤが示す上記別の出力情報が有効期間内に出力されていない場合に、当該出力情報を出力すると決定する。
【０１０５】
これにより、関連データ条件が出力情報ＩＤに対応付けられている出力情報は、天気予報条件を満たしていたとしても、上記別の出力情報が有効期間内に出力されている場合は出力されない。これにより、既に出力された上記別の出力情報によって出力の必要が無くなった出力情報が出力されたり、ユーザに既に報知された出力情報が再び出力されたりすることが無くなる。よって、ユーザと家庭内機器との快適なコミュニケーションを実現することができる。
【０１０６】
なお、有効期間は出力情報の内容に応じて設定される現時点より過去の所定期間であればよく、上記の例に限定されない。例えば、「今日から１か月前まで」や、「昨日および本日中」といった期間であってもよい。
【０１０７】
〔実施形態３〕
本発明のさらに別の実施形態について、図１０〜図１３に基づいて説明すれば以下のとおりである。なお、説明の便宜上、前記実施形態にて説明した部材と同じ機能を有する部材については、同じ符号を付記し、その説明を省略する。
【０１０８】
（家族伝言板システム２００）
まず、本実施形態に係る家族伝言板システム２００について、図１０を参照して説明する。図１０は、本実施形態に係る家族伝言板システム２００のエージェントサーバ５および電子レンジ３ｂの要部構成の一例を示すブロック図である。
【０１０９】
本実施形態に係る家族伝言板システム２００と、実施形態１にて説明した家族伝言板システム１００との相違点は、実施形態１にて説明したエージェントサーバ１に代えてエージェントサーバ５が含まれる点、および、実施形態１にて説明した空調装置３ａに代えて、電子レンジ３ｂが含まれる点である。
【０１１０】
また、エージェントサーバ１とエージェントサーバ５との相違点は、制御部１２が、出力情報決定部１２１を含まず、音声送信制御部１２２および投稿制御部１２３に代えて音声送信制御部１２４および投稿制御部１２５を含む点、および、記憶部１３が条件テーブル１３１を格納しておらず、音声データテーブル１３２および投稿データテーブル１３３に代えて音声データテーブル１３４および投稿データテーブル１３５を格納している点である。
【０１１１】
本実施形態のエージェントサーバ５は、電子レンジ３ｂに送信した音声データが発話可能時間内に音声出力されなかった場合、当該音声データに対応する投稿データを家族伝言板に投稿する。以下、この構成の詳細について説明する。
【０１１２】
まず、音声データテーブル１３４および投稿データテーブル１３５の詳細について、図１１を参照して説明する。図１１の（ａ）は、エージェントサーバ５に格納されている音声データテーブル１３４のデータ構造および具体例を示す図であり、図１１の（ｂ）は、エージェントサーバ５に格納されている投稿データテーブル１３５のデータ構造および具体例を示す図である。
【０１１３】
音声データテーブル１３４は、実施形態１にて説明した音声データテーブル１３２と同様に、出力情報ＩＤ、音声データ、および発話可能時間情報を対応付けて記憶している。なお、図１１の（ａ）に示すように、これらの情報をテーブル形式で記憶する構成は一例であり、記憶形式はテーブル形式に限定されるものではない。
【０１１４】
投稿データテーブル１３５は、出力情報ＩＤ、投稿内容、および投稿画像を対応付けて記憶している。実施形態１にて説明した投稿データテーブル１３３と異なり、投稿時刻情報は対応付けられていない。なお、図１１の（ｂ）に示すように、これらの情報をテーブル形式で記憶する構成は一例であり、記憶形式はテーブル形式に限定されるものではない。
【０１１５】
「投稿内容」のカラムに登録される投稿内容は、今日のおすすめのレシピを紹介する文字列である。また、「投稿画像」のカラムに登録される投稿画像は、電子レンジを擬人化したイラストである。
【０１１６】
なお、音声データテーブル１３４に登録されている音声データの内容は、同じ出力情報ＩＤに対応付けられている投稿内容と同様である。つまり、音声データテーブル１３４の「音声データ」のカラムには、今日のおすすめのレシピを紹介する音声データが登録されている。
【０１１７】
音声送信制御部１２４は、音声データをホームサーバ２ｃを介して家庭内機器３に供給する。音声送信制御部１２４は、所定の時刻（以下、音声データ送信時刻と称する）になると音声データテーブル１３４から音声レコード１３４１を読み出し、読み出した音声レコード１３４１を、通信部１１を制御してホームサーバ２ｃに送信する。
【０１１８】
投稿制御部１２５は、投稿データを家族伝言板サーバ２ｂに送信するものであり、出力情報ＩＤ取得部１２５１、および投稿レコード選択部（書き込みデータ送信部）１２５２を含む。
【０１１９】
出力情報ＩＤ取得部１２５１は、電子レンジ３ｂからホームサーバ２ｃを介して、出力情報ＩＤを取得し、取得した出力情報ＩＤを投稿レコード選択部１２５２に供給する。なお、出力情報ＩＤ取得部１２５１が取得するのは、出力情報ＩＤに限られるものではなく、投稿データを投稿する指示を示すものであれば、どのようなものであってもよい。
【０１２０】
投稿レコード選択部１２５２は、供給された出力情報ＩＤと一致する出力情報ＩＤを含む投稿レコード１３５１を投稿データテーブル１３５から読み出す。そして、読み出した投稿レコード１３５１に含まれる投稿データを、通信部１１を制御して家族伝言板サーバ２ｂに送信する。
【０１２１】
電子レンジ３ｂは、上述したように空調装置３ａと同様の要部構成であるため、各部材の詳細な説明は省略する。なお、本実施形態の音声出力制御部３２１は、実施形態１にて説明した機能に加え、発話可能時間が現在時刻より前となった（発話可能時間が終了した）受信音声レコード３３１１について、当該受信音声レコード３３１１を受信音声データテーブル３３１から削除するとともに、当該受信音声レコード３３１１に含まれる出力情報ＩＤを、ホームサーバ２ｃを介してエージェントサーバ５に送信する。
【０１２２】
なお、音声出力制御部３２１は、出力情報ＩＤそのものではなく、該出力情報ＩＤと対応する投稿レコードの投稿データを投稿する指示を送信してもよい。
【０１２３】
（投稿処理の流れ）
次に、図１２を参照して、エージェントサーバ５が実行する投稿処理の流れについて説明する。図１２は、エージェントサーバ５が実行する投稿処理の流れの一例を示すフローチャートである。
【０１２４】
まず、音声送信制御部１２４は、音声データ送信時刻となるまで待機している（Ｓ４１）。ここで、音声データ送信時刻となったとき（Ｓ４１でＹＥＳ）、音声送信制御部１２４は、音声レコード１３４１を音声データテーブル１３４から読み出して、ホームサーバ２ｃに送信する（Ｓ４２）。そして、音声送信制御部１２４は、音声レコード１３４１を送信した旨を投稿制御部１２５に通知する。
【０１２５】
投稿制御部１２５は、音声送信制御部１２４からの通知を受けると、ホームサーバ２ｃからの出力情報ＩＤを待機する状態となる（Ｓ４３）。ここで、出力情報ＩＤを受信した場合（Ｓ４３でＹＥＳ）、受信した出力情報ＩＤを含む投稿レコード１３５１を投稿データテーブル１３５から読み出す（Ｓ４４、送信データ決定ステップ）。そして、投稿制御部１２５は、読み出した投稿レコード１３５１に含まれる投稿データを家族伝言板サーバ２ｂに送信する（Ｓ４５、書き込みデータ送信ステップ）。以上で投稿処理は終了する。
【０１２６】
（発話処理の流れ）
次に図１３を参照して、電子レンジ３ｂが実行する発話処理の流れについて説明する。図１３は、電子レンジ３ｂが実行する発話処理の流れの一例を示すフローチャートである。なお、図１３のフローチャートにおけるステップＳ５１〜ステップＳ６１、およびステップＳ６３については、図８のフローチャートにおけるステップＳ２１〜ステップＳ３１、およびステップＳ３２と同様の処理であるため、ここでの説明を省略する。
【０１２７】
発話可能な音声データの発話可能時間が終了した場合（Ｓ３１でＹＥＳ）、音声出力制御部３２１は、発話可能時間が終了した受信音声レコード３３１１に含まれる出力情報ＩＤをホームサーバ２ｃに送信する（Ｓ６２）。
【０１２８】
なお、ステップＳ６２とステップＳ６３とは逆であってもよい。
【０１２９】
また、上記では、送信時刻に音声データを送信する構成としたが、これに限られず、エージェントサーバ５が外部サーバから音声データを取得したときに、ホームサーバ２ｃへ送信する構成であってもよい。
【０１３０】
〔変形例〕
上述した実施形態１〜３にて説明したエージェントサーバ１およびエージェントサーバ５は、自装置にて記憶している音声データおよび投稿データをホームサーバ２ｃおよび家族伝言板サーバ２ｂにそれぞれ送信する構成であった。しかしながら、音声データおよび投稿データはエージェントサーバ１およびエージェントサーバ５に記憶されているものに限定されない。例えば、本発明に係るエージェントサーバは、ユーザがスマートフォン４を用いて家族伝言板に投稿した音声データを家族伝言板サーバ２ｂから受信して、ホームサーバ２ｃに送信してもよい。また、本発明に係るエージェントサーバは、家庭内機器３から受信した、家庭内機器３の動作状況を示す情報を投稿データとして家族伝言板サーバ２ｂに送信してもよい。
【０１３１】
また、上述した実施形態３にて説明した電子レンジ３ｂは、受信音声レコード３３１１に含まれる音声データが音声出力されないまま発話可能時間が終了したときに、当該受信音声レコード３３１１に含まれる出力情報ＩＤをエージェントサーバ５に送信する構成であった。しかしながら、本発明に係る家庭内機器は、音声データが出力された受信音声レコード３３１１に含まれる出力情報ＩＤについても、エージェントサーバ５に送信してもよい。そして、エージェントサーバ５は、受信した出力情報ＩＤと対応付けられた投稿データを家族伝言板サーバ２ｂに送信する。これにより、音声出力された内容が家族伝言板にも投稿されることとなる。
【０１３２】
また、上述した実施形態１および２では、外部サーバ２ａから天気予報データを受信して、当該天気予報データと条件テーブル１３１または条件テーブル２３１の天気予報条件とを比較することで、出力する出力情報を決定していた。しかしながら、外部サーバ２ａから取得するデータは天気予報データに限定されるものではない。例えば、外部サーバ２ａから本日のニュースを受信してもよい。この場合、条件テーブル１３１における天気予報条件は、ニュースに関連する条件に変わる。当該条件の例としては、「ユーザが予め設定した地域で事件があった」や「ユーザがあらかじめ設定したサッカーチームが勝った」などが挙げられる。
【０１３３】
〔実施形態４〕
上記各実施形態では、１つのエージェントサーバ１またはエージェントサーバ５を用いる例を説明したが、エージェントサーバ１およびエージェントサーバ５の有する各機能が、個別のサーバにて実現されていてもよい。そして、複数のサーバを適用する場合においては、各サーバは、同じ事業者によって管理されていてもよいし、異なる事業者によって管理されていてもよい。
【０１３４】
〔実施形態５〕
エージェントサーバ１、エージェントサーバ５および家庭内機器３の各ブロック（特に、エージェントサーバ１、５の制御部１２、家庭内機器の機器制御部３２）は、集積回路（ＩＣチップ）等に形成された論理回路（ハードウェア）によって実現してもよいし、ＣＰＵ（Central Processing Unit）を用いてソフトウェアによって実現してもよい。後者の場合、エージェントサーバ１、エージェントサーバ５および家庭内機器３のそれぞれを、図１４に示すようなコンピュータ（電子計算機）を用いて構成することができる。
【０１３５】
図１４は、エージェントサーバ１、エージェントサーバ５および家庭内機器３として利用可能なコンピュータ９１０の構成を例示したブロック図である。コンピュータ９１０は、バス９１１を介して互いに接続された演算装置９１２と、主記憶装置９１３と、補助記憶装置９１４と、入出力インターフェース９１５と、通信インターフェース９１６とを備えている。演算装置９１２、主記憶装置９１３、および補助記憶装置９１４は、それぞれ、例えばＣＰＵ、ＲＡＭ（random access memory）、ハードディスクドライブであってもよい。入出力インターフェース９１５には、ユーザがコンピュータ９１０に各種情報を入力するための入力装置９２０、および、コンピュータ９１０がユーザに各種情報を出力するための出力装置９３０が接続される。入力装置９２０および出力装置９３０は、コンピュータ９１０に内蔵されたものであってもよいし、コンピュータ９１０に接続された（外付けされた）ものであってもよい。例えば、入力装置９２０は、キーボード、マウス、タッチセンサなどであってもよく、出力装置９３０は、ディスプレイ、プリンタ、スピーカなどであってもよい。また、タッチセンサとディスプレイとが一体化されたタッチパネルのような、入力装置９２０および出力装置９３０の双方の機能を有する装置を適用してもよい。そして、通信インターフェース９１６は、コンピュータ９１０が外部の装置と通信するためのインターフェースである。
【０１３６】
補助記憶装置９１４には、コンピュータ９１０をエージェントサーバ１、エージェントサーバ５および家庭内機器３として動作させるための各種のプログラムが格納されている。そして、演算装置９１２は、補助記憶装置９１４に格納された上記プログラムを主記憶装置９１３上に展開して該プログラムに含まれる命令を実行することによって、コンピュータ９１０を、エージェントサーバ１、エージェントサーバ５および家庭内機器３が備える各部として機能させる。なお、補助記憶装置９１４が備える、プログラム等の情報を記録する記録媒体は、コンピュータ読み取り可能な「一時的でない有形の媒体」であればよく、例えば、テープ、ディスク、カード、半導体メモリ、プログラマブル論理回路などであってもよい。
【０１３７】
また、上記プログラムは、コンピュータ９１０の外部から取得してもよく、この場合、任意の伝送媒体（通信ネットワークや放送波等）を介して取得してもよい。そして、本発明は、上記プログラムが電子的な伝送によって具現化された、搬送波に埋め込まれたデータ信号の形態でも実現され得る。
【０１３８】
〔まとめ〕
本発明の態様１に係る書き込みデータ送信装置（エージェントサーバ１、エージェントサーバ５）は、複数のユーザで書き込みを共有可能なサービスを提供する情報処理装置（家族伝言板サーバ２ｂ）に書き込みデータを送信する書き込みデータ送信装置であって、上記書き込みデータと対応している音声データに従って音声出力機器（空調装置３ａ、電子レンジ３ｂ）が音声出力可能な出力可能期間に応じて、上記書き込みデータが上記サービスに投稿される時刻である投稿時刻を決定する投稿時刻決定部（投稿制御部１２３、投稿制御部１２５）と、上記書き込みデータを上記情報処理装置に送信する書き込みデータ送信部（通信部１１）と、を備えている。
【０１３９】
上記の構成によれば、書き込みデータを投稿する時刻を、当該書き込みデータと対応している音声データの出力可能期間に応じて決定する。これにより、音声データが音声出力機器から出力される時刻（音声出力時刻）と、書き込みデータが投稿される時刻（投稿時刻）とを対応させることができる。よって、音声出力時刻と投稿時刻とのずれを抑えることができ、音声出力時刻と投稿時刻とが大きくずれることによるユーザの困惑を防ぐことができる。
【０１４０】
本発明の態様２に係る書き込みデータ送信装置は、上記態様１において、上記投稿時刻決定部は、上記音声出力機器に送信された音声データに従って上記出力可能期間に上記音声出力機器から音声出力されなかったとき、当該音声データと対応している書き込みデータの投稿時刻を当該音声データの出力可能期間後とするものであってもよい。
【０１４１】
上記の構成によれば、音声出力機器が音声データを出力できる期間中に音声が出力されなかった場合、当該音声データと対応する書き込みデータの投稿時刻を出力可能期間後とするので、音声が出力されなかった場合に、複数のユーザで書き込みを共有可能なサービス（伝言板）で、当該音声の内容をユーザに伝えることができる。また、音声出力がされなかったことをユーザに認識させることができる。
【０１４２】
本発明の態様３に係る書き込みデータ送信装置は、上記態様１または２において、上記投稿時刻決定部は、上記書き込みデータが複数ある場合、当該複数の書き込みデータの上記投稿時刻を互いに異ならせるものであってもよい。
【０１４３】
上記の構成によれば、書き込みデータが複数ある場合、当該複数の書き込みデータの投稿時刻が異なるようになる。
【０１４４】
これにより、送信書き込みデータが一度に大量に投稿されることを防ぐことができる。また、伝言板における表示が書き込みを時系列順にするものである場合、大量の書き込みが連続して表示されることを防ぐことができる。
【０１４５】
本発明の態様４に係る書き込みデータ送信装置は、上記態様１〜３のいずれかにおいて、上記投稿時刻決定部は、上記書き込みデータの上記投稿時刻を、該書き込みデータと対応する上記音声データの上記出力可能期間内とするものであってもよい。
【０１４６】
上記の構成によれば、書き込みデータの投稿時刻が、音声出力機器が、書き込みデータと対応する音声データを音声出力できる期間内となるので、書き込みデータの投稿と音声出力とが大きくずれることを防ぐことができる。
【０１４７】
本発明の態様５に係る書き込みデータ送信装置は、上記態様１〜４のいずれかにおいて、上記書き込みデータ送信部は、上記投稿時刻決定部が決定した時刻に、上記書き込みデータを上記情報処理装置に送信するものであってもよい。
【０１４８】
上記の構成によれば、決定された投稿時刻に書き込みデータが情報処理装置に送信されるので、送信すべき書き込みデータが重なって書き込みデータの送信経路を圧迫してしまうことを防止することができる。
【０１４９】
本発明の態様６に係る書き込みデータ送信装置は、上記態様１〜４のいずれかにおいて、上記書き込みデータ送信部は、上記投稿時刻決定部が決定した時刻を、上記書き込みデータとともに上記情報処理装置に送信するものであってもよい。
【０１５０】
上記の構成によれば、投稿時刻よりも前に書き込みデータが情報処理装置に送信されるので、投稿時刻に情報処理装置との通信経路が切断されていたとしても、書き込みデータの投稿を適切に実行することができる。
【０１５１】
本発明の態様７に係る書き込みデータ送信装置は、上記態様１〜６のいずれかにおいて、音声データと対応付けられた先行音声データが音声出力されていないとき、該音声データの音声出力を可とする音声データ出力可否判定部を備え、上記投稿時刻決定部は、上記音声データ出力可否判定部が音声出力を可と判定した音声データと対応する書き込みデータの投稿時刻を、該音声データの上記出力可能期間に応じて決定するものであってもよい。
【０１５２】
上記の構成によれば、先行音声データが音声出力されていない場合に、音声データの音声出力を可とするとともに、書き込みデータの投稿時刻を決定することができる。
【０１５３】
例えば、先行音声データが、午前中に発話可能となる「今夜が熱帯夜となること」についてであり、音声データが午後に送信される「今夜が熱帯夜となること」についてである場合で、午前中には今夜が熱帯夜となる予報は出ておらず、午後になってから今夜が熱帯夜となる予報が出た場合、音声データの音声出力が可能となるとともに、該音声データと対応する書き込みデータの投稿時刻が決定されるので、ユーザに「今夜が熱帯夜となること」を認識させることができるとともに、同じことが２回、音声出力または投稿されてしまうことを防止することができる。
【０１５４】
本発明の態様８に係る書き込みデータ送信装置は、上記態様７において、上記投稿時刻決定部は、上記音声データ出力可否判定部が音声出力を可と判定した音声データと対応する書き込みデータの投稿時刻を、該音声データの上記出力可能期間後とするものであってもよい。
【０１５５】
上記の構成によれば、音声データと対応する書き込みデータの投稿時刻を出力可能期間後とするので、音声出力期間が経過した後に、伝言板で当該音声の内容をユーザに伝えることができる。
【０１５６】
本発明の態様９に係る書き込みデータ送信装置の制御方法は、複数のユーザで書き込みを共有可能なサービスを提供する情報処理装置に書き込みデータを送信する書き込みデータ送信装置の制御方法であって、上記書き込みデータと対応している音声データに従って音声出力機器が音声出力可能な出力可能期間に応じて、上記書き込みデータが上記サービスに投稿される時刻を決定する投稿時刻決定ステップ（ステップＳ７）と、上記書き込みデータを上記情報処理装置に送信する書き込みデータ送信ステップ（ステップＳ９、ステップＳ４５）と、を含む。
【０１５７】
これによれば、上述した効果と同様の効果を奏する。
【０１５８】
本発明の態様１０に係る書き込みデータ共有システム（家族伝言板システム１００、家族伝言板システム２００）は、複数のユーザで書き込みを共有可能なサービスを提供する書き込みデータ共有システムであって、上記サービスを提供する情報処理装置と、上記情報処理装置に上記書き込みデータを送信する書き込みデータ送信装置と、を含み、上記書き込みデータ送信装置にて、上記書き込みデータと対応している音声データに従って音声出力機器が音声出力可能な出力可能期間に応じて、上記書き込みデータが上記サービスに投稿される時刻を決定し、上記書き込みデータを上記情報処理装置に送信する。
【０１５９】
これによれば、上述した効果と同様の効果を奏する。
【０１６０】
本発明の態様１１に係る音声出力機器は、複数のユーザで書き込みを共有可能なサービスを提供する情報処理装置に書き込みデータを送信する書き込みデータ送信装置から受信した音声データに従って音声を出力する音声出力機器であって、上記音声データの出力可能期間に、ユーザの出力操作を受け付けたとき、該音声データに従って音声出力する音声出力部（音声出力制御部３２１）と、上記出力可能期間内に上記出力操作を受け付けなかったとき、上記書き込みデータ送信装置に、該書き込みデータ送信装置から上記情報処理装置に上記音声データに対応する上記書き込みデータを送信するように指示する指示部（音声出力制御部３２１）と、を備えている。
【０１６１】
上記の構成によれば、音声出力されなかった音声データと対応する書き込みデータの送信を書き込みデータ送信装置に指示するので、伝言板に音声データの内容を投稿することができる。これにより、音声出力されなかった音声データの内容をユーザに認識させることができる。
【０１６２】
本発明の各態様に係る書き込みデータ送信装置および音声出力機器は、コンピュータによって実現してもよく、この場合には、コンピュータを上記書き込みデータ送信装置および音声出力機器が備える各部（ソフトウェア要素）として動作させることにより上記書き込みデータ送信装置および音声出力機器をコンピュータにて実現させる書き込みデータ送信装置および音声出力機器の制御プログラム、およびそれを記録したコンピュータ読み取り可能な記録媒体も、本発明の範疇に入る。
【０１６３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１６４】
本発明は、複数のユーザで書き込みを共有可能なサービスに上記書き込みを投稿する情報処理装置に、書き込みデータを送信する書き込みデータ送信装置などに好適である。
【符号の説明】
【０１６５】
１、５  エージェントサーバ（書き込みデータ送信装置）
２ｂ  家族伝言板サーバ（情報処理装置）
３ａ  空調装置（音声出力機器）
３ｂ  電子レンジ（音声出力機器）
３４  入力部
１００、２００  家族伝言板システム（書き込みデータ共有システム）
１２１  出力情報決定部（音声データ出力可否判定部）
１２２  音声送信制御部
１２３  投稿制御部
１２３１  投稿レコード選択部
１２３２  投稿時刻決定部
１２３３  送信指示部（書き込みデータ送信部）
１２５  投稿制御部
１２５１  出力情報ＩＤ取得部
１２５２  投稿レコード選択部（書き込みデータ送信部）
３２１  音声出力制御部（音声出力部、指示部）
Ｓ７  投稿時刻決定ステップ
Ｓ９  書き込みデータ送信ステップ
Ｓ４５  書き込みデータ送信ステップ
【図１】
2016099842.tif 000003
【図２】
2016099842.tif 000004
【図３】
2016099842.tif 000005
【図４】
2016099842.tif 000006
【図５】
2016099842.tif 000007
【図６】
2016099842.tif 000008
【図７】
2016099842.tif 000009
【図８】
2016099842.tif 000010
【図９】
2016099842.tif 000011
【図１０】
2016099842.tif 000012
【図１１】
2016099842.tif 000013
【図１２】
2016099842.tif 000014
【図１３】
2016099842.tif 000015
【図１４】
2016099842.tif 000016